(57)【特許請求の範囲】
【請求項１】
把持部にはその長手方向の両側のうち一方の側に頭部を設けるとともに他方の側に尻部を設け、刃体を組み込んだ剃刀ヘッドをこの把持部の頭部に設け、この把持部は、その刃体の刃先が向く腹側である腹部と、その腹側に対する反対側の背側である背部と、その刃先の延設方向に沿う幅方向の両側である側部とをその頭部と尻部との間に有している剃刀のハンドルにおいて、
前記把持部の幅方向の両側で把持部の両側部には幅方向で相対向する指当壁部を把持部の頭部と尻部との間で長手方向へ延びるように設けるとともに、この把持部の背部側で両指当壁部間には把持部の頭部と尻部との間で長手方向へ延びる背壁部を設け、この把持部の腹部側で両指当壁部間には把持部の頭部と尻部との間でこの背壁部に接して長手方向へ延びる空間部を設けて、この空間部の一部または全部を両指当壁部の内面で挟み、
前記両指当壁部は把持部の長手方向及び幅方向に交叉する厚み方向の両側に設けた腹部側の端部と背部側の端部とのうち腹部側の端部を自由端部とする片持ち梁状をなして、その両指当壁部の自由端部間で前記空間部を開放し、
前記把持部には、幅方向の両側に設けられて頭部と尻部との間で長手方向へ延びる両側枠部と、頭部側で両側枠部を互いに接続した端枠部と、尻部側で両側枠部を互いに接続した端枠部とにより環状をなす支持枠部を設け、両指当壁部の自由端部に対する反対側になる固定端部は、指当壁部より硬質の支持枠部の両側枠部に取着され、
前記両指当壁部は空間部側へ押された際に空間部側へ変形し、一方の指当壁部を他方の指当壁部側へ押した際に一方の指当壁部が他方の指当壁部側へ弾性変形して撓んで生じる撓み量は、両指当壁部の固定端部側よりも自由端部側ほど大きくなっており、
頭部と尻部との間で把持部の両側部には両側部間の幅方向間隔を最も狭くした幅方向寸法のくびれ部を設け、このくびれ部で把持部は、腹部と背部とを結ぶ厚み方向と両側部間を結ぶ幅方向とへそれぞれ折曲することができるとともに、腹部と背部と両側部とを結ぶ周方向へ捻ることができるように、弾性変形し、
前記空間部に接する両指当壁部の内面側に対し反対側になる外面においては、把持部の長手方向の両側のうち頭部側の端部と尻部側の端部との間にあるくびれ部とその頭部との間で、両指当壁部の固定端部と自由端部との間の厚み方向寸法を最大に設定した頂部を設け、
前記両指当壁部の外面における厚み方向寸法は、頂部から尻部側に向うに従いくびれ部に向って減少し、そのくびれ部で両指当壁部の固定端部と自由端部との間の厚み方向寸法を最小にし、くびれ部から尻部側に向うに従い固定端部と自由端部との間の厚み方向寸法を大きくし、
前記くびれ部から連続する尻部は、厚み方向の両側へ膨出するとともに幅方向の両側へ膨出した幅方向寸法の肥大部を有するとともに、両指当壁部間の背壁部を厚み方向へ膨らませた突部を有し、
前記空間部は尻部の肥大部まで延びて指掛部を有している
ことを特徴とする剃刀のハンドル。
【発明の詳細な説明】
【技術分野】
【０００１】
本発明は剃刀のハンドルに関するものである。
【背景技術】
【０００２】
従来、下記特許文献１では、柄の表面に同素材の硬質表面部と同素材の軟質表面部とがそれぞれ露出して配置されているだけであるため、柄を把持して指を柄の表面に当てがった際に、指の感触に変化が生じにくい。
【先行技術文献】
【特許文献】
【０００３】
【特許文献１】特開２０１０−６４１７０号公報
【発明の概要】
【発明が解決しようとする課題】
【０００４】
この発明は、剃刀のハンドルにおいて、把持部を把持し易くするとともに、把持部に指を当てがった際の感触をより一層良くして使い勝手を向上させることを目的としている。
【課題を解決するための手段】
【０００５】
後記実施形態の図面（図１〜４）の符号を援用して本発明を説明する。
請求項１の発明にかかる剃刀１のハンドル２は、下記の形態及び機能を有している。
把持部３にはその長手方向Ｘの両側のうち一方の側に頭部６を設けるとともに他方の側に尻部７を設け、刃体５を組み込んだ剃刀ヘッド４をこの把持部３の頭部６に設けている。この把持部３は、その刃体５の刃先５ａが向く腹側である腹部８と、その腹側に対する反対側の背側である背部９と、その刃先５ａの延設方向に沿う幅方向Ｙの両側である側部１０とをその頭部６と尻部７との間に有している。
前記把持部３の幅方向Ｙの両側で把持部３の両側部１０には幅方向Ｙで相対向する指当壁部２０を把持部３の頭部６と尻部７との間で長手方向Ｘへ延びるように設けている。この把持部３の背部９側で両指当壁部２０間には把持部３の頭部６と尻部７との間で長手方向Ｘへ延びる背壁部１８を設けている。この把持部３の腹部８側で両指当壁部２０間には把持部３の頭部６と尻部７との間でこの背壁部１８に接して長手方向Ｘへ延びる空間部１１を設けて、この空間部１１の一部または全部を両指当壁部２０の内面で挟んでいる。
前記両指当壁部２０は把持部３の長手方向Ｘ及び幅方向Ｙに交叉する厚み方向Ｚの両側に設けた腹部８側の端部２０ａと背部９側の端部２０ｂとのうち腹部８側の端部２０ａを自由端部２０ａとする片持ち梁状をなして、その両指当壁部２０の自由端部２０ａ間で前記空間部１１を開放している。
前記把持部３には、幅方向Ｙの両側に設けられて頭部６と尻部７との間で長手方向Ｘへ延びる両側枠部１３と、頭部６側で両側枠部１３を互いに接続した端枠部１４と、尻部７側で両側枠部１３を互いに接続した端枠部１５とにより環状をなす支持枠部１２を設けている。両指当壁部２０の自由端部２０ａに対する反対側になる固定端部２０ｂは、指当壁部２０より硬質の支持枠部１２の両側枠部１３に取着されている。
前記両指当壁部２０は空間部１１側へ押された際に空間部１１側へ変形する。一方の指当壁部２０を他方の指当壁部２０側へ押した際に一方の指当壁部２０が他方の指当壁部２０側へ弾性変形して撓んで生じる撓み量は、両指当壁部２０の固定端部２０ｂ側よりも自由端部２０ａ側ほど大きくなっている。
頭部６と尻部７との間で把持部３の両側部１０には両側部１０間の幅方向間隔を最も狭くした幅方向寸法Ｗ１のくびれ部２５を設けている。このくびれ部２５で把持部３は、腹部８と背部９とを結ぶ厚み方向Ｚと両側部１０間を結ぶ幅方向Ｙとへそれぞれ折曲することができるとともに、腹部８と背部９と両側部１０とを結ぶ周方向へ捻ることができるように、弾性変形する。
前記空間部１１に接する両指当壁部２０の内面側に対し反対側になる外面２３においては、把持部３の長手方向Ｘの両側のうち頭部６側の端部と尻部７側の端部との間にあるくびれ部２５とその頭部６との間で、両指当壁部２０の固定端部２０ｂと自由端部２０ａとの間の厚み方向寸法Ｈ１を最大に設定した頂部２４を設けている。
前記両指当壁部２０の外面２３における厚み方向寸法は、頂部２４から尻部７側に向うに従いくびれ部２５に向って減少し、そのくびれ部２５で両指当壁部２０の固定端部２０ｂと自由端部２０ａとの間の厚み方向寸法Ｈ２を最小にし、くびれ部２５から尻部７側に向うに従い固定端部２０ｂと自由端部２０ａとの間の厚み方向寸法Ｈ３を大きくしている。
前記くびれ部２５から連続する尻部７は、厚み方向Ｚの両側へ膨出するとともに幅方向Ｙの両側へ膨出した幅方向寸法Ｗ２の肥大部７ａを有するとともに、両指当壁部２０間の背壁部１８を厚み方向Ｚへ膨らませた突部７ｂを有している。前記空間部１１は尻部７の肥大部７ａまで延びて指掛部１７ａを有している。
請求項１の発明にかかる剃刀１のハンドル２は、上記の形態及び機能により、下記（イ）〜（ヌ）の特徴を有している。
（イ）  ハンドル２の把持部３を把持して片持ち梁状の指当壁部２０に指を当てがった際に、指当壁部２０の自由端部２０ａ側ほどその弾性変形の撓み量が大きくなるため、ハンドル２の把持部３が手に馴染み易くなり、感触を従来のものよりもより一層良くして使い勝手を向上させることができる。
（ロ）  両側枠部１３と両端枠部１４，１５とにより環状に設けた支持枠部１２により、片持ち梁状の指当壁部２０の固定端部２０ｂを支持して、片持ち梁状の指当壁部２０の自由端部２０ａを撓み易くすることができる。
（ハ）  把持部３の両側枠部１３は、硬質材で形成されて剛性を有しているものの、その肉厚を小さくすれば外力により撓むことも可能である。特に、指当壁部２０の付近において両側枠部１３は背壁部１８を挟んだ状態で幅方向Ｙへ互いに接近するにように撓むことができる。その際、両側枠部１３の剛性によりハンドル２としての剛性を維持しつつ、腹側の指当壁部２０は背側の両側枠部１３よりも撓み易く、使用者の指先にフィットし易い状態となる。
（ニ）  把持部３の背部９側で両指当壁部２０間には背壁部１８を設けているので、その背壁部１８に指を当てがって把持部３を把持し易い。
（ホ）  空間部１１の一部または全部を両指当壁部２０の内面で挟んでいるとともに、両指当壁部２０は片持ち梁状をなして自由端部２０ａ間で空間部１１を開放しているので、両指当壁部２０を変形させ易い。
（へ）  把持部３は、くびれ部２５で、腹部８と背部９とを結ぶ方向と両側部１０間を結ぶ方向とへそれぞれ折曲することができるとともに、腹部８と背部９と両側部１０とを結ぶ周方向へ捻ることができるように、弾性変形し得るため、ハンドル２を把持した際にハンドル２に与える力に応じてハンドル２が弾性変形し、ハンドル２が手に馴染み易くなって感触を良くすることができる。
（ト）  空間部１１に接する両指当壁部２０の内面側に対し反対側になる外面２３においては、把持部３の長手方向Ｘの両側のうち頭部６側の端部と尻部７側の端部との間にあるくびれ部２５とその頭部６との間で、両指当壁部２０の固定端部２０ｂと自由端部２０ａとの間の厚み方向寸法Ｈ１を最大に設定した頂部２４を設けているので、把持部３を把持し易い。
（チ）  両指当壁部２０の外面２３における厚み方向寸法は、頂部２４から尻部７側に向うに従いくびれ部２５に向って減少し、そのくびれ部２５で両指当壁部２０の固定端部２０ｂと自由端部２０ａとの間の厚み方向寸法Ｈ２を最小にし、くびれ部２５から尻部７側に向うに従い固定端部２０ｂと自由端部２０ａとの間の厚み方向寸法Ｈ３を大きくしているので、把持部３を把持し易い。
（リ）  くびれ部２５から連続する尻部７は、厚み方向Ｚの両側へ膨出するとともに幅方向Ｙの両側へ膨出した幅方向寸法Ｗ２の肥大部７ａを有するとともに、両指当壁部２０間の背壁部１８を厚み方向Ｚへ膨らませた突部７ｂを有しているので、把持部３を把持し易い。
（ヌ）  空間部１１は尻部７の肥大部７ａまで延びて指掛部１７ａを有しているので、指掛部１７ａに指を掛けて把持部３を把持し易い。
【発明の効果】
【００１９】
本発明は、剃刀１のハンドル２において、把持部３を把持し易くするとともに、把持部３に指を当てがった際の感触を従来のものよりもより一層良くして使い勝手を向上させることができる。
【図面の簡単な説明】
【００２０】
【図１】（ａ）は本実施形態にかかる剃刀を腹側から見た斜視図であり、（ｂ）は同じく剃刀を背側から見た斜視図である。
【図２】（ａ）は上記剃刀のハンドルを腹側から見た正面図であり、（ｂ）は上記剃刀のハンドルを背側から見た背面図である。
【図３】（ａ）は上記剃刀のハンドルを側方から見た側面図であり、（ｂ）は上記剃刀のハンドルを側方から見た断面図である。
【図４】（ａ）は図３（ａ）のＡ−Ａ線断面図であり、（ｂ）は図３（ａ）のＢ−Ｂ線断面図である。
【発明を実施するための形態】
【００２１】
以下、本発明の一実施形態にかかる手動利器である剃刀のハンドルについて図面を参照して説明する。
図１に示す剃刀１は、把持部３を有するハンドル２と、刃体５を組み込んだ剃刀ヘッド４とを備えている。このハンドル２において、把持部３にはその長手方向Ｘの両側のうち一方の側に頭部６が設けられているとともに他方の側に尻部７が設けられている。前記剃刀ヘッド４はこの把持部３の頭部６側でハンドル２に対し着脱不能に且つ首振り可能に支持されている。この把持部３は、その刃体５の刃先５ａが向く腹側である腹部８と、その腹側に対する反対側の背側である背部９と、その刃先５ａの延設方向の両側である側部１０とをその頭部６と尻部７との間に有している。前記把持部３の腹部８において把持部３の両側部１０間には頭部６と尻部７との間で把持部３の長手方向Ｘへ延びる空間部１１が設けられている。
【００２２】
図２〜４に示すように、前記把持部３は、両側部１０間を結ぶ幅方向Ｙの両側に配設された両側枠部１３と、頭部６側で両側枠部１３の端部間を互いに接続した端枠部１４と、尻部７側で両側枠部１３の端部間を互いに接続した端枠部１５とにより、環状の支持枠部１２を有しているとともに、この支持枠部１２に対し一体的に成形された壁部１６を有している。この壁部１６は、支持枠部１２の両側枠部１３及び両端枠部１４，１５に沿って環状に延びる周壁部１７と、その周壁部１７の内側で周壁部１７と連続して設けられた背壁部１８とからなる。前記空間部１１は、この周壁部１７と背壁部１８との間に設けられ、この背壁部１８に面して腹側に開放されている。この支持枠部１２はＡＢＳ樹脂やポリプロピレン樹脂などの硬質材により成形されている。この壁部１６はエラストマ樹脂やシリコーン樹脂などの軟質材により成形され、この壁部１６の硬度は支持枠部１２の硬度より小さいショアＡ３０〜ショアＤ６０の範囲に設定することが好ましい。
【００２３】
前記周壁部１７のうち支持枠部１２の両側枠部１３から把持部３の厚み方向Ｚで腹側に突出する側壁部１９には、指当壁部２０（指当部）が前記空間部１１を把持部３の幅方向Ｙで挟んで空間部１１に沿って頭部６側から尻部７側へ向けて長手方向Ｘへ延設されている。前記背壁部１８には頭部６側で支持枠部１２の端枠部１４に隣接して指当凹部２１が設けられているとともに、この指当凹部２１に隣接して大小の直径を有する複数の貫通孔２２が大小交互に尻部７側へ向けて並設されている。この各貫通孔２２は、水中で泡が浮かんでいるイメージを使用者に抱かせることができる。この両側壁部１９は側枠部１３の端面１３ａに対し熱溶着により取着された段差部１９ａを有している。なお、側壁部１９の段差部１９ａを側枠部１３の端面１３ａに対し剥がれ得るようにしてもよい。
【００２４】
前記両指当壁部２０は、腹側に自由端部２０ａを有する片持ち梁状をなしてその両指当壁部２０の自由端部２０ａ間で前記空間部１１が開放されている。片持ち梁状をなす両指当壁部２０の固定端部２０ｂは前記側枠部１３に取着されている。前記空間部１１に面する両指当壁部２０の内面側に対し反対側になる外面２３は、固定端部２０ｂ側から自由端部２０ａ側に向うに従い両指当壁部２０の自由端部２０ａが互いに接近するように傾斜しているとともに、把持部３の長手方向Ｘの両側のうち頭部６側から尻部７側に向うに従い互いに接近するように傾斜している。この両指当壁部２０の外面２３には凹凸状の滑り止め部２３ａが長手方向Ｘに並んで形成され、この各滑り止め部２３ａが長手方向Ｘへ並ぶ所定範囲Ｅで、前記背壁部１８の各貫通孔２２が幅方向Ｙの両側にある各滑り止め部２３ａ間で並んでいる。また、この外面２３においては、把持部３の長手方向Ｘの両側のうち頭部６側の端部と尻部７側の端部との間の中間部で、固定端部２０ｂと自由端部２０ａとの間の厚み方向寸法Ｈ１（約７ｍｍ）が最大に設定された頂部２４が設けられ、それらの両端部から頂部２４に向けてなだらかに連続している。この両指当壁部２０は空間部１１側へ押された際に空間部１１側へ撓んで弾性変形する。その弾性変形の際に生じる撓み量は自由端部２０ａ側ほど大きい。
【００２５】
前記把持部３の両側部１０のうち前記指当壁部２０を有する側部１０と尻部７との間の側部１０には、ハンドル２の幅方向寸法のうち両側部１０間の間隔を最も狭くした幅方向寸法Ｗ１（約９ｍｍ）のくびれ部２５が設けられている。このくびれ部２５から連続する尻部７は、厚み方向Ｚの両側へ膨出するとともに幅方向Ｙの両側へ膨出した幅方向寸法Ｗ２（約２２ｍｍ）の肥大部７ａを有している。また、尻部７は背壁部１８が厚み方向Ｚへ若干膨らんだ突部７ｂを有している。このくびれ部２５で把持部３は、例えば、腹部８と背部９とを結ぶ方向と両側部１０間を結ぶ方向とへそれぞれ折曲することができるとともに、腹部８と背部９と両側部１０とを結ぶ周方向へ捻ることができるように、弾性変形し得る。
【００２６】
前記両指当壁部２０の外面２３における厚み方向寸法は頂部２４からくびれ部２５に向って減少し、その外面２３はくびれ部２５における側壁部１９の外面に対しなだらかに連続している。そのくびれ部２５で側壁部１９の外面の厚み方向寸法Ｈ２（約２ｍｍ）が最小になり、さらに、そのくびれ部２５から尻部７側に向うに従い側壁部１９の外面の厚み方向寸法が大きくなって尻部７で側壁部１９の外面の厚み方向寸法がＨ３（約３．５ｍｍ）となる。また、前記腹部８の空間部１１は尻部７の肥大部７ａまで延び、その空間部１１の尻端側の端を形成する周壁部１７の腹部側（空間部１１の開口部側）は指を掛けることができる指掛部１７ａを有している。
【００２７】
前記ハンドル２において把持部３の頭部６側にある支持枠部１２の端枠部１４は、前記剃刀ヘッド４に対する支持部を兼用し、ハンドル２の幅方向寸法のうち最大の幅方向寸法Ｗ３（約２３ｍｍ）を有している。剃刀ヘッド４は、この支持部（端枠部１４）の幅方向Ｙの両側に設けられた支持腕部２６により回動可能に支持され、その両支持腕部２６間でこの支持部（端枠部１４）の幅方向Ｙの中央部に設けられた板ばね部２７により弾性的に付勢されて、板ばね部２７の弾性力により腹側に付勢された静止状態から背側へ板ばね部２７の弾性力に抗して傾動し得る。前記腹部８の空間部１１は、端枠部１４側へ開放され、その端枠部１４に形成された小突起１４ａの幅方向Ｙの両側を通してこの剃刀ヘッド４側へ開放されている。なお、剃刀１の全長Ｌは約１３０ｍｍになっている。
【００２８】
使用時にハンドル２を把持する際には、指当壁部２０に親指の腹面と人差し指の腹面とを当てがうか、或いは、人差し指の腹面を背部９の指当凹部２１に当てがうとともに指当壁部２０に親指の腹面と中指の腹面とを当てがい、これら把持状態に加えさらに、尻部７の背側の突部７ｂを手の平に当てがって尻部７の肥大部７ａを手の平で包み込むようにし、小指または薬指を尻部７の腹側の空間部１１で指掛部１７ａに当てがう。それにより、尻部７の肥大部７ａを手の平内に納めて、尻部７側を安定に保持しつつ、親指や人差し指や中指でハンドル２を操作すると、くびれ部２５より頭部６側を使用状況に応じて変位させることができて使い易い。
【００２９】
本実施形態は下記の効果を有する。
（１）  ハンドル２を把持して片持ち梁状の指当壁部２０に指を当てがった際に、指当壁部２０の自由端部２０ａ側ほどその弾性変形の撓み量が大きくなるため、ハンドル２が手に馴染み易くなり、感触を従来のものよりもより一層良くして使い勝手を向上させることができる。特に、湿式の剃刀１では、ハンドル２が濡れて滑り易い状態でも、ハンドル２を安定して把持し易い。
【００３０】
（２）  把持部３は、くびれ部２５で、腹部８と背部９とを結ぶ方向と両側部１０間を結ぶ方向とへそれぞれ折曲することができるとともに、腹部８と背部９と両側部１０とを結ぶ周方向へ捻ることができるように、弾性変形し得るため、ハンドル２を把持した際にハンドル２に与える力に応じてハンドル２が弾性変形し、ハンドル２が手に馴染み易くなって感触を良くすることができる。
【００３１】
（３）  把持部３の両側枠部１３は、硬質材で形成されて剛性を有しているものの、その肉厚を小さくすれば外力により撓むことも可能である。特に、指当壁部２０の付近において両側枠部１３は背壁部１８を挟んだ状態で幅方向Ｙへ互いに接近するにように撓むことができる。その際、両側枠部１３の剛性によりハンドル２としての剛性を維持しつつ、腹側の指当壁部２０は背側の両側枠部１３よりも撓み易く、使用者の指先にフィットし易い状態となる。また、把持部３のくびれ部２５は、硬質材と軟質材とで構成されているとともに、両側枠部１３の間隔を狭くしたこともあって、ある程度の剛性を維持しつつ、捻ったり曲げたりすることが可能である。
【００３２】
（４）  両指当壁部２０の外面２３における凹凸状の滑り止め部２３ａが長手方向Ｘへ並ぶ所定範囲Ｅで、背壁部１８の各貫通孔２２が幅方向Ｙの両側にある各滑り止め部２３ａ間で並んでいるので、その各貫通孔２２により両指当壁部２０が撓み易くなるとともに、各滑り止め部２３ａを指先で持つことができ、剃刀１のハンドル２を使い易くなる。
【００３３】
（５）  側壁部１９が段差部１９ａで側枠部１３の端面１３ａに対し剥がれ得るようにした場合、頻繁な使用によりその段差部１９ａが剥がれた場合にはハンドル２の交換の目安となる。
【００３７】
なお、剃刀ヘッド４をハンドル２に対し着脱不能に支持するばかりでなく、剃刀ヘッド４を交換できるように着脱可能に支持してもよい。また、剃刀ヘッド４をハンドル２に対し首振り可能に支持するばかりでなく首振り不能に支持してもよい。
【符号の説明】
【００３９】
１…手動利器としての剃刀、２…ハンドル、３…把持部、４…剃刀ヘッド、５…刃体、５ａ…刃先、６…頭部、７…尻部、７ａ…肥大部、７ｂ…突部、８…腹部、９…背部、１０…側部、１１…空間部、１２…支持枠部、１３…側枠部（基部）、１４，１５…端枠部、１７ａ…指掛部、１８…背壁部、２０…指当壁部（指当部）、２０ａ…自由端部、２０ｂ…固定端部、２３…外面、２４…頂部、２５…くびれ部、Ｘ…長手方向、Ｙ…幅方向、Ｚ…厚み方向。
【図１】
0005669473.tif 000002
【図２】
0005669473.tif 000003
【図３】
0005669473.tif 000004
【図４】
0005669473.tif 000005